(57)【要約】  本発明は、ダウンリンク帯域幅部分のアクティブ化および非アクティブ化の方法、端末機器、ネットワーク機器およびコンピュータ記憶媒体を開示し、前記方法は、端末機器の搬送波で構成された少なくとも１つのダウンリンク帯域幅部分（ＢＷＰ）に対して、アクティブ化および非アクティブ化を実行することを含む。
2021514558.tif 000002
【特許請求の範囲】
【請求項１】
ダウンリンク帯域幅部分のアクティブ化および非アクティブ化の方法であって、
ネットワーク機器に適用され、
端末機器の搬送波で構成された少なくとも１つのダウンリンク帯域幅部分（ＢＷＰ）に対して、アクティブ化および非アクティブ化を実行することを含む、前記ダウンリンク帯域幅部分のアクティブ化および非アクティブ化の方法。
【請求項２】
前記アクティブ化および非アクティブ化の方法は、
メディアアクセス制御（ＭＡＣ）層の制御要素（ＣＥ）によって、少なくとも１つのダウンリンク帯域幅部分（ＢＷＰ）のアクティブ化および非アクティブ化を制御すること、
ダウンリンク制御情報（ＤＣＩ）によって、少なくとも１つのダウンリンク帯域幅部分（ＢＷＰ）のアクティブ化および非アクティブ化を制御すること、
端末機器でアクティブ化および非アクティブ化時間ルールを構成して、少なくとも１つのダウンリンク帯域幅部分（ＢＷＰ）のアクティブ化および非アクティブ化の指示を制御すること、
ダウンリンク帯域幅部分（ＢＷＰ）に対して対応する非アクティブ化タイマを構成して、前記ダウンリンクＢＷＰの非アクティブ化を制御することのうちの１つである、
請求項１に記載のダウンリンク帯域幅部分のアクティブ化および非アクティブ化の方法。
【請求項３】
前記方法は、
前記端末機器に対して構成された少なくとも１つのダウンリンクＢＷＰのうち、少なくとも１つの初期ＢＷＰを構成し、前記初期ＢＷＰがデフォルトでアクティブ状態であるように構成することと、
前記端末機器に対して構成された少なくとも１つのダウンリンクＢＷＰのうち、前記初期ＢＷＰ以外の他のダウンリンクＢＷＰがデフォルトで非アクティブ状態であるように構成することとをさらに含む、
請求項１に記載のダウンリンク帯域幅部分のアクティブ化および非アクティブ化の方法。
【請求項４】
前記ＭＡＣ層の制御要素（ＣＥ）によって、少なくとも１つのダウンリンク帯域幅部分（ＢＷＰ）のアクティブ化および非アクティブ化を制御することは、
前記ＭＡＣ層のＣＥに前記少なくとも１つのＢＷＰに対応するビットマップが含まれ、前記ビットマップの各ビットによって前記ビットに対応するＢＷＰのアクティブ化または非アクティブ化を制御することを含む、
請求項２に記載のダウンリンク帯域幅部分のアクティブ化および非アクティブ化の方法。
【請求項５】
前記ダウンリンク制御情報（ＤＣＩ）によって、少なくとも１つのダウンリンク帯域幅部分（ＢＷＰ）のアクティブ化および非アクティブ化を制御することは、
前記ＤＣＩにインデックス値を追加し、前記インデックス値によって、アクティブ化されるＢＷＰを指示することを含む、
請求項２に記載のダウンリンク帯域幅部分のアクティブ化および非アクティブ化の方法。
【請求項６】
前記ＤＣＩは、セル無線ネットワーク一時識別子（Ｃ−ＲＮＩＴ）によってスクランブルされた物理ダウンリンク制御チャネル（ＰＤＣＣＨ）で搬送され、または、特別な無線ネットワーク一時識別子（ＲＮＴＩ）によってスクランブルされた物理ダウンリンク制御チャネル（ＰＤＣＣＨ）で搬送される、
請求項５に記載のダウンリンク帯域幅部分のアクティブ化および非アクティブ化の方法。
【請求項７】
前記方法は、
前記ＤＣＩがＣ−ＲＮＴＩによってスクランブルされたＰＤＣＣＨで搬送される場合、アクティブ状態であるダウンリンクＢＷＰで、アクティブ化されるＢＷＰのダウンリンク伝送をスケジューリングすることをさらに含む、
請求項６に記載のダウンリンク帯域幅部分のアクティブ化および非アクティブ化の方法。
【請求項８】
前記端末機器でアクティブ化および非アクティブ化時間ルールを構成して、少なくとも１つのダウンリンク帯域幅部分（ＢＷＰ）のアクティブ化および非アクティブ化の指示を制御することは、
前記アクティブ化および非アクティブ化時間ルールによって、搬送波の少なくとも１つのダウンリンクＢＷＰ間のアクティブ化の切り替えを制御することを含む、
請求項２に記載のダウンリンク帯域幅部分のアクティブ化および非アクティブ化の方法。
【請求項９】
前記端末機器でアクティブ化および非アクティブ化時間ルールを構成して、少なくとも１つのダウンリンク帯域幅部分（ＢＷＰ）のアクティブ化および非アクティブ化の指示を制御することは、
無線フレームを構成し、前記無線フレームの少なくとも１つのサブフレームを分割して、少なくとも１つのサブフレームグループを分割することを含み、各サブフレームグループは、ダウンリンクＢＷＰのアクティブ化を指示するために使用される、
請求項２に記載のダウンリンク帯域幅部分のアクティブ化および非アクティブ化の方法。
【請求項１０】
前記端末機器でアクティブ化および非アクティブ化時間ルールを構成して、少なくとも１つのダウンリンク帯域幅部分（ＢＷＰ）のアクティブ化および非アクティブ化の指示を制御することは、
各ダウンリンクＢＷＰに対して、アクティブ状態での開始時間および持続時間を構成することを含む、
請求項２に記載のダウンリンク帯域幅部分のアクティブ化および非アクティブ化の方法。
【請求項１１】
前記ダウンリンク帯域幅部分（ＢＷＰ）に対して対応する非アクティブ化タイマを構成して、前記ダウンリンクＢＷＰの非アクティブ化を制御することは、
少なくとも１つのダウンリンク帯域幅部分（ＢＷＰ）の、初期ＢＷＰ以外の他のダウンリンクＢＷＰの少なくとも一部に対して、対応する非アクティブ化タイマをそれぞれ構成することと、
前記非アクティブ化タイマによって、前記初期ＢＷＰ以外の他のダウンリンクＢＷＰがアクティブ化された後のアクティブ状態の持続時間を制御することとを含む、
請求項２に記載のダウンリンク帯域幅部分のアクティブ化および非アクティブ化の方法。
【請求項１２】
ダウンリンク帯域幅部分のアクティブ化および非アクティブ化の方法であって、
端末機器に適用され、
ネットワーク側の制御に基づいて、搬送波で構成された少なくとも１つのダウンリンク帯域幅部分（ＢＷＰ）に対してアクティブ化および非アクティブ化を実行することを含む、前記ダウンリンク帯域幅部分のアクティブ化および非アクティブ化の方法。
【請求項１３】
前記アクティブ化および非アクティブ化の方法は、
ＭＡＣ層の制御要素（ＣＥ）によって、少なくとも１つのダウンリンク帯域幅部分（ＢＷＰ）のアクティブ化および非アクティブ化を制御すること、
ダウンリンク制御情報（ＤＣＩ）によって、少なくとも１つのダウンリンク帯域幅部分（ＢＷＰ）のアクティブ化および非アクティブ化を制御すること、
アクティブ化および非アクティブ化時間ルールに従って、少なくとも１つのダウンリンク帯域幅部分（ＢＷＰ）のアクティブ化および非アクティブ化を制御すること、
ダウンリンク帯域幅部分（ＢＷＰ）に対応する非アクティブ化タイマに従って、前記ダウンリンクＢＷＰの非アクティブ化を制御することのうちの１つである、
請求項１２に記載のダウンリンク帯域幅部分のアクティブ化および非アクティブ化の方法。
【請求項１４】
前記ＭＡＣ層の制御要素（ＣＥ）によって、少なくとも１つのダウンリンク帯域幅部分（ＢＷＰ）のアクティブ化および非アクティブ化を制御することは、
含まれる前記少なくとも１つのＢＷＰに対応するビットマップを前記ＭＡＣ層のＣＥから取得し、前記ビットマップの各ビットに基づいて、前記ビットに対応するＢＷＰのアクティブ化または非アクティブ化を決定することを含む、
請求項１３に記載のダウンリンク帯域幅部分のアクティブ化および非アクティブ化の方法。
【請求項１５】
前記ダウンリンク制御情報（ＤＣＩ）によって、少なくとも１つのダウンリンク帯域幅部分（ＢＷＰ）のアクティブ化および非アクティブ化を制御することは、
前記ＤＣＩのインデックス値に基づいて、ネットワーク側によって指示されるアクティブ化されるＢＷＰを決定することを含む、
請求項１３に記載のダウンリンク帯域幅部分のアクティブ化および非アクティブ化の方法。
【請求項１６】
前記ＤＣＩは、Ｃ−ＲＮＩＴによってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送される、
請求項１５に記載のダウンリンク帯域幅部分のアクティブ化および非アクティブ化の方法。
【請求項１７】
前記方法は、
前記ＤＣＩがＣ−ＲＮＴＩによってスクランブルされたＰＤＣＣＨで搬送される場合、アクティブ状態であるダウンリンクＢＷＰでアクティブ化されるＢＷＰのダウンリンク伝送を取得することをさらに含む、
請求項１６に記載のダウンリンク帯域幅部分のアクティブ化および非アクティブ化の方法。
【請求項１８】
前記アクティブ化および非アクティブ化時間ルールに従って、少なくとも１つのダウンリンク帯域幅部分（ＢＷＰ）のアクティブ化および非アクティブ化を制御することは、
前記アクティブ化および非アクティブ化時間ルールによって、搬送波の少なくとも１つのダウンリンクＢＷＰ間のアクティブ化の切り替えを決定することを含む、
請求項１３に記載のダウンリンク帯域幅部分のアクティブ化および非アクティブ化の方法。
【請求項１９】
前記アクティブ化および非アクティブ化時間ルールに従って、少なくとも１つのダウンリンク帯域幅部分（ＢＷＰ）のアクティブ化および非アクティブ化を制御することは、
無線フレームの少なくとも１つのサブフレームから分割された少なくとも１つのサブフレームグループを取得することと、
各サブフレームグループの指示情報に基づいて、対応するダウンリンクＢＷＰをアクティブ化するかどうかがを決定することとを含む、
請求項１３に記載のダウンリンク帯域幅部分のアクティブ化および非アクティブ化の方法。
【請求項２０】
前記アクティブ化および非アクティブ化時間ルールに従って、少なくとも１つのダウンリンク帯域幅部分（ＢＷＰ）のアクティブ化および非アクティブ化を制御することは、
各ダウンリンクＢＷＰに対して構成されたアクティブ状態での開始時間および持続時間を取得することを含む、
請求項１３に記載のダウンリンク帯域幅部分のアクティブ化および非アクティブ化の方法。
【請求項２１】
前記ダウンリンク帯域幅部分（ＢＷＰ）に対応する非アクティブ化タイマに従って、前記ダウンリンクＢＷＰの非アクティブ化を制御することは、
少なくとも１つのダウンリンク帯域幅部分（ＢＷＰ）の、初期ＢＷＰ以外の他のダウンリンクＢＷＰの少なくとも一部に対して設置された非アクティブ化タイマを取得することと、
前記非アクティブ化タイマによって、前記他のダウンリンクＢＷＰの少なくとも一部がアクティブ化された後のアクティブ状態の持続時間を制御することとを含む、
請求項１３に記載のダウンリンク帯域幅部分のアクティブ化および非アクティブ化の方法。
【請求項２２】
前記方法は、
ダウンリンクＢＷＰが、受信したアクティブ化命令に従ってアクティブ状態に入る場合、または、対応する時間ルールに基づいてアクティブ状態に入ることを決定する場合、前記ダウンリンクＢＷＰに対応する非アクティブ化タイマを開始することをさらに含む、
請求項２１に記載のダウンリンク帯域幅部分のアクティブ化および非アクティブ化の方法。
【請求項２３】
前記方法は、
ダウンリンクＢＷＰがスケジューリング命令を受信した場合、または、前記ダウンリンクＢＷＰでデータの送受信処理が発生した場合、前記ダウンリンクＢＷＰに対応する非アクティブ化タイマを開始することをさらに含む、
請求項２１に記載のダウンリンク帯域幅部分のアクティブ化および非アクティブ化の方法。
【請求項２４】
前記方法は、
前記端末がランダムアクセスを開始する場合、前記非アクティブ化タイマを停止することをさらに含む、
請求項２１に記載のダウンリンク帯域幅部分のアクティブ化および非アクティブ化の方法。
【請求項２５】
前記方法は、
ダウンリンクＢＷＰに対応する非アクティブ化タイマが失効になった場合、対応するダウンリンクＢＷＰを非アクティブ状態に切り替えることと、
現在アクティブ状態のダウンリンクＢＷＰの数を検出し、前記ダウンリンクＢＷＰの数が１である場合、初期ＢＷＰを使用して現在アクティブ状態であるダウンリンクＢＷＰを置換して、前記初期ＢＷＰをアクティブ化し、且つ現在アクティブ状態であるダウンリンクＢＷＰを非アクティブ化することとをさらに含む、
請求項２１に記載のダウンリンク帯域幅部分のアクティブ化および非アクティブ化の方法。
【請求項２６】
ネットワーク機器であって、
端末機器の搬送波で構成された少なくとも１つのダウンリンク帯域幅部分（ＢＷＰ）に対してアクティブ化および非アクティブ化を実行するように構成される第１処理ユニットを含む、前記ネットワーク機器。
【請求項２７】
前記アクティブ化および非アクティブ化の方法は、
ＭＡＣ層の制御要素（ＣＥ）によって、少なくとも１つのダウンリンク帯域幅部分（ＢＷＰ）のアクティブ化および非アクティブ化を制御すること、
ダウンリンク制御情報（ＤＣＩ）によって、少なくとも１つのダウンリンク帯域幅部分（ＢＷＰ）のアクティブ化および非アクティブ化を制御すること、
端末機器でアクティブ化および非アクティブ化時間ルールを構成して、少なくとも１つのダウンリンク帯域幅部分（ＢＷＰ）のアクティブ化および非アクティブ化の指示を制御すること、
ダウンリンク帯域幅部分（ＢＷＰ）に対して対応する非アクティブ化タイマを構成して、前記ダウンリンクＢＷＰの非アクティブ化を制御することのうちの１つである、
請求項２６に記載のネットワーク機器。
【請求項２８】
前記端末機器に対して構成された少なくとも１つのダウンリンクＢＷＰで少なくとも１つの初期ＢＷＰを構成し、前記初期ＢＷＰはデフォルトでアクティブ状態であるように構成し、
前記端末機器に対して構成された少なくとも１つのダウンリンクＢＷＰの前記初期ＢＷＰ以外の他のダウンリンクＢＷＰは、デフォルトで非アクティブ状態であるように構成する、
請求項２６に記載のネットワーク機器。
【請求項２９】
前記第１処理ユニットは、前記ＭＡＣ層のＣＥに含まれる、前記少なくとも１つのＢＷＰに対応するビットマップの各ビットによって、前記ビットに対応するＢＷＰのアクティブ化または非アクティブ化を制御するように構成される、
請求項２７に記載のネットワーク機器。
【請求項３０】
前記第１処理ユニットは、前記ＤＣＩにインデックス値を追加し、前記インデックス値によって、アクティブ化されるＢＷＰを指示するように構成される、
請求項２７に記載のネットワーク機器。
【請求項３１】
前記ＤＣＩがＣ−ＲＮＩＴによってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送されるように構成される、
請求項３０に記載のネットワーク機器。
【請求項３２】
前記ネットワーク機器は、
アクティブ状態であるダウンリンクＢＷＰで、アクティブ化されるＢＷＰのダウンリンク伝送をスケジューリングするように構成される第１通信ユニットをさらに含み、
対応的に、前記第１処理ユニットは、前記ＤＣＩがＣ−ＲＮＴＩによってスクランブルされたＰＤＣＣＨで搬送される場合、前記第１通信ユニットによって、アクティブ状態であるダウンリンクＢＷＰでアクティブ化されるＢＷＰのダウンリンク伝送をスケジューリングするように構成される、
請求項３１に記載のネットワーク機器。
【請求項３３】
前記第１処理ユニットは、前記アクティブ化および非アクティブ化時間ルールによって、搬送波の少なくとも１つのダウンリンクＢＷＰ間のアクティブ化の切り替えを制御するように構成される、
請求項２７に記載のネットワーク機器。
【請求項３４】
前記ネットワーク機器は、さらに、
無線フレームを構成し、前記無線フレームの少なくとも１つのサブフレームを分割して、少なくとも１つのサブフレームグループを分割するように構成される第１通信ユニットを含み、各サブフレームグループは、ダウンリンクＢＷＰのアクティブ化を指示するために使用される、
請求項２７に記載のネットワーク機器。
【請求項３５】
前記第１処理ユニットは、各ダウンリンクＢＷＰに対して、アクティブ状態での開始時間および持続時間を構成するように構成される、
請求項２７に記載のネットワーク機器。
【請求項３６】
前記第１処理ユニットは、少なくとも１つのダウンリンク帯域幅部分（ＢＷＰ）の、初期ＢＷＰ以外の他のダウンリンクＢＷＰの少なくとも一部に対して、対応する非アクティブ化タイマをそれぞれ配置し、前記非アクティブ化タイマによって、前記初期ＢＷＰ以外の他のダウンリンクＢＷＰがアクティブ化された後のアクティブ状態の持続時間を制御するように構成される、
請求項２７に記載のネットワーク機器。
【請求項３７】
端末機器であって、
ネットワーク側の制御に基づいて、搬送波で構成された少なくとも１つのダウンリンク帯域幅部分（ＢＷＰ）に対してアクティブ化および非アクティブ化を実行するように構成される第２処理ユニットを含む、前記端末機器。
【請求項３８】
前記アクティブ化および非アクティブ化の方法は、
ＭＡＣ層の制御要素（ＣＥ）によって、少なくとも１つのダウンリンク帯域幅部分（ＢＷＰ）のアクティブ化および非アクティブ化を制御すること、
ダウンリンク制御情報（ＤＣＩ）によって、少なくとも１つのダウンリンク帯域幅部分（ＢＷＰ）のアクティブ化および非アクティブ化を制御すること、
アクティブ化および非アクティブ化時間ルールに従って、少なくとも１つのダウンリンク帯域幅部分（ＢＷＰ）のアクティブ化および非アクティブ化を制御すること、
ダウンリンク帯域幅部分（ＢＷＰ）に対応する非アクティブ化タイマに従って、前記ダウンリンクＢＷＰの非アクティブ化を制御することのうちの１つであるように構成される、
請求項３７に記載の端末機器。
【請求項３９】
前記端末機器は、
ＭＡＣ  ＣＥを受信するように構成される第２通信ユニットをさらに含み、
前記第２処理ユニットは、含まれる前記少なくとも１つのＢＷＰに対応するビットマップを前記ＭＡＣ層のＣＥから取得し、前記ビットマップの各ビットに基づいて、前記ビットに対応するＢＷＰのアクティブ化または非アクティブ化を決定するように構成される、
請求項３８に記載の端末機器。
【請求項４０】
前記第２処理ユニットは、前記ＤＣＩのインデックス値に基づいて、ネットワーク側によって指示されるアクティブ化されるＢＷＰを決定するように構成される、
請求項３８に記載の端末機器。
【請求項４１】
前記ＤＣＩがＣ−ＲＮＩＴによってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送されるように構成される、
請求項４０に記載の端末機器。
【請求項４２】
前記第２処理ユニットは、前記ＤＣＩがＣ−ＲＮＴＩによってスクランブルされたＰＤＣＣＨで搬送される場合、アクティブ状態であるダウンリンクＢＷＰでアクティブ化されるＢＷＰのダウンリンク伝送を取得するように構成される、
請求項４１に記載の端末機器。
【請求項４３】
前記第２処理ユニットは、前記アクティブ化および非アクティブ化時間ルールによって、搬送波の少なくとも１つのダウンリンクＢＷＰ間のアクティブ化の切り替えを決定するように構成される、
請求項３８に記載の端末機器。
【請求項４４】
前記第２処理ユニットは、無線フレームの少なくとも１つのサブフレームで分割された少なくとも１つのサブフレームグループの各サブフレームグループの指示情報に基づいて、前記各サブフレームグループに対応するダウンリンクＢＷＰをアクティブ化するかどうかを決定するように構成される、
請求項３８に記載の端末機器。
【請求項４５】
前記第２処理ユニットは、各ダウンリンクＢＷＰに対して構成されたアクティブ状態での開始時間および持続時間を取得するように構成される、
請求項３８に記載の端末機器。
【請求項４６】
前記第２通信ユニットは、少なくとも１つのダウンリンク帯域幅部分（ＢＷＰ）の、初期ＢＷＰ以外の他のダウンリンクＢＷＰの少なくとも一部に対して設置された非アクティブ化タイマを取得するように構成され、
前記第２処理ユニットは、前記非アクティブ化タイマによって、前記他のダウンリンクＢＷＰの少なくとも一部がアクティブ化された後のアクティブ状態の持続時間を制御するように構成される、
請求項３８に記載の端末機器。
【請求項４７】
前記第２処理ユニットは、ダウンリンクＢＷＰが、受信したアクティブ化命令に従ってアクティブ状態に入る場合、または、対応する時間ルールに基づいてアクティブ状態に入ることを決定する場合、前記ダウンリンクＢＷＰに対応する非アクティブ化タイマを開始するように構成される、
請求項４６に記載の端末機器。
【請求項４８】
前記第２処理ユニットは、ダウンリンクＢＷＰがスケジューリング命令を受信した場合、または、前記ダウンリンクＢＷＰでデータの送受信処理が発生した場合、前記ダウンリンクＢＷＰに対応する非アクティブ化タイマを開始するように構成される、
請求項４６に記載の端末機器。
【請求項４９】
前記第２処理ユニットは、前記端末がランダムアクセスを開始する場合、前記非アクティブ化タイマを停止するように構成される、
請求項４６に記載の端末機器。
【請求項５０】
前記第２処理ユニットは、ダウンリンクＢＷＰに対応する非アクティブ化タイマが失効になった場合、対応するダウンリンクＢＷＰを非アクティブ状態に切り替え、現在アクティブ状態のダウンリンクＢＷＰの数を検出し、前記ダウンリンクＢＷＰの数が１である場合、初期ＢＷＰを使用して現在アクティブ状態であるダウンリンクＢＷＰを置換して、前記初期ＢＷＰをアクティブ化し、且つ現在アクティブ状態であるダウンリンクＢＷＰを非アクティブ化するように構成される、
請求項４６に記載の端末機器。
【請求項５１】
ネットワーク機器であって、
プロセッサおよびプロセッサで実行可能なコンピュータプログラムを記憶するためのメモリを含み、
前記プロセッサは、前記コンピュータプログラムを実行するときに、請求項１ないし１１のいずれか一項に記載の方法のステップを実行するように構成される、前記ネットワーク機器。
【請求項５２】
端末機器であって、
プロセッサおよびプロセッサで実行可能なコンピュータプログラムを記憶するためのメモリを含み、
前記プロセッサは、前記コンピュータプログラムを実行するときに、請求項１２ないし２５のいずれか一項に記載の方法のステップを実行するように構成される、前記端末機器。
【請求項５３】
コンピュータ記憶媒体であって、
コンピュータ実行可能命令を記憶するように構成され、前記コンピュータ実行可能命令が実行されるときに、請求項１ないし２５のいずれか一項に記載の方法のステップを具現する、前記コンピュータ記憶媒体。
【発明の詳細な説明】
【技術分野】
【０００１】
本発明は、情報処理の技術分野に関し、特に、ダウンリンク帯域幅部分のアクティブ化および非アクティブ化の方法、端末機器、ネットワーク機器およびコンピュータ記憶媒体に関する。
【背景技術】
【０００２】
ニューラジオ（ＮＲ：Ｎｅｗ  Ｒａｄｉｏ）がサポートするシステム帯域幅は、ＬＴＥの最大２０ＭＨｚよりはるかに大きいシステム帯域幅であり、いくつかの端末については、機能の制限のため、全てのシステム帯域幅をサポートすることができない可能性があるので、スケジューリング効率を向上させるために、ＮＲで帯域幅部分（ＢＷＰ：Ｂａｎｄｗｉｄｔｈ  Ｐａｒｔ））の概念が導入された。無線リソース制御（ＲＲＣ：Ｒａｄｉｏ  Ｒｅｓｏｕｒｃｅ  Ｃｏｎｔｒｏｌ）接続状態では、ネットワークは、端末に１つまたは複数のＢＷＰを配置し、ＢＷＰには主に、ヌメロロジー（Ｎｕｍｅｒｏｌｏｇｙ）、中心周波数、帯域幅の３つのパラメータが含まれる。
【０００３】
これにより、ＢＷＰは，周波数領域の次元の概念であることが分かる。一方、既存の議論によると、ある時点で端末がサポートできるアクティブ化されたＢＷＰは１だけであると仮定する。いわゆるアクティブ化とは、端末が当該ＢＷＰ所定の帯域幅で信号を受信することを期待することであり、データ伝送（アップリンクとダウンリンク）、システムメッセージなどを含むが、現在、端末機器側でＢＷＰのアクティブ化などを制御する方法についての仕様はない。
【発明の概要】
【発明が解決しようとする課題】
【０００４】
上記の技術的課題を解決するために、本発明の実施例は、ダウンリンク帯域幅部分のアクティブ化および非アクティブ化の方法、端末機器、ネットワーク機器およびコンピュータ記憶媒体を提供する。
【課題を解決するための手段】
【０００５】
本発明の実施例は、ダウンリンク帯域幅部分のアクティブ化および非アクティブ化の方法を提供し、前記方法は、
ネットワーク機器に適用され、
端末機器の搬送波で構成された少なくとも１つのダウンリンク帯域幅部分（ＢＷＰ）に対して、アクティブ化および非アクティブ化を実行することを含む。
【０００６】
本発明の実施例は、ダウンリンク帯域幅部分のアクティブ化および非アクティブ化の方法を提供し、前記方法は、
端末機器に適用され、
ネットワーク側の制御に基づいて、搬送波で構成された少なくとも１つのダウンリンク帯域幅部分（ＢＷＰ）に対して，アクティブ化および非アクティブ化を実行することを含む。
【０００７】
本発明の実施例は、ネットワーク機器を提供し、前記ネットワーク機器は、
端末機器の搬送波で構成された少なくとも１つのダウンリンク帯域幅部分（ＢＷＰ）に対して，アクティブ化および非アクティブ化を実行するように構成される第１処理ユニットを含む。
【０００８】
本発明の実施例は、端末機器を提供し、前記端末機器は、
ネットワーク側の制御に基づいて、搬送波で構成された少なくとも１つのダウンリンク帯域幅部分（ＢＷＰ）に対して，アクティブ化および非アクティブ化を実行するように構成される第２処理ユニットを含む。
【０００９】
本発明の実施例によって提供されるネットワーク機器は、プロセッサおよびプロセッサで実行可能なコンピュータプログラムを記憶するためのメモリを含み、
ここで、前記プロセッサは、前記コンピュータプログラムを実行するときに、前述の方法のステップを実行するために使用される。
【００１０】
本発明の実施例によって提供される端末機器は、プロセッサおよびプロセッサで実行可能なコンピュータプログラムを記憶するためのメモリを含み、
ここで、前記プロセッサは、前記コンピュータプログラムを実行するときに、前述の方法のステップを実行するために使用される。
【００１１】
本発明の実施例によって提供されるコンピュータ記憶媒体は、コンピュータ実行可能命令を記憶するように構成され、前記コンピュータ実行可能命令が実行されるときに、前述の方法のステップを具現する。
【発明の効果】
【００１２】
本発明の実施例の技術的解決策は、端末機器の搬送波で構成された少なくとも１つのダウンリンクＢＷＰに対して、アクティブ化および非アクティブ化を決定することができ、これにより、搬送波で複数のダウンリンクＢＷＰが構成された場合、その一部のダウンリンクＢＷＰのアクティブ化および非アクティブ化の状態をどのように制御するかという問題を解決する。
【図面の簡単な説明】
【００１３】
【図１】本発明の実施例によって提供されるダウンリンク帯域幅部分のアクティブ化および非アクティブ化の方法のフローチャートである。
【図２】本発明の実施例のネットワーク機器構成の例示的な構造図である。
【図３】本発明の実施例の端末機器構成の例示的な構造図である。
【図４】本発明の実施例のハードウェアアーキテクチャの概略図である。
【発明を実施するための形態】
【００１４】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００１５】
実施例１
本発明の実施例は、ダウンリンク帯域幅部分のアクティブ化および非アクティブ化の方法を提供し、前記方法は、ネットワーク機器に適され、端末機器の搬送波で構成された少なくとも１つのダウンリンク帯域幅部分（ＢＷＰ）に対して、アクティブ化および非アクティブ化を実行することを含む。
【００１６】
なお、ダウンリンクＢＷＰの初期はアクティブ状態であるかどうかについては、ダウンリンクＢＷＰの初期はアクティブ状態であるように制御してもよく、ダウンリンクＢＷＰの初期は非アクティブ状態であるように制御してもよい。
【００１７】
さらに、前記端末機器に対して構成された少なくとも１つのダウンリンクＢＷＰのうち、少なくとも１つの初期ＢＷＰを構成し、前記初期ＢＷＰがデフォルトでアクティブ状態であるように構成し、前記端末機器に対して構成された少なくとも１つのダウンリンクＢＷＰのうち、前記初期ＢＷＰ以外の他のダウンリンクＢＷＰがデフォルトで非アクティブ状態であるように構成してもよい。具体的に、前記端末の１つの搬送波で１つまたは複数のダウンリンクＢＷＰを配置し、ネットワークは、構成されたＢＷＰをアクティブ化または非アクティブ化することができ、構成された１つまたは複数のダウンリンクＢＷＰのうち、その１つはネットワークによって構成された初期ＢＷＰであり、初期ＢＷＰはデフォルトでアクティブ状態であり（即ち、ＢＷＰが搬送波でアクティブ化されるとき、初期ＢＷＰは追加的にアクティブ化する必要がある）、初期ＢＷＰ以外の他の構成されたＢＷＰは、構成する時にデフォルトで非アクティブ状態である。
【００１８】
さらに、本実施例において、前記アクティブ化および非アクティブ化の方法は、以下の１つである。
【００１９】
方法１は、ＭＡＣ層の制御要素（ＣＥ）によって、少なくとも１つのダウンリンク帯域幅部分（ＢＷＰ）のアクティブ化および非アクティブ化を制御することであって、即ち、ダウンリンクＢＷＰアクティブ化および非アクティブ化ＭＡＣ  ＣＥである。
【００２０】
方法２は、ダウンリンク制御情報（ＤＣＩ）によって、少なくとも１つのダウンリンク帯域幅部分（ＢＷＰ）のアクティブ化および非アクティブ化を制御することであって、即ち、ダウンリンクＢＷＰアクティブＤＣＩである。
【００２１】
方法３は、端末機器でアクティブ化および非アクティブ化時間ルールを構成して、少なくとも１つのダウンリンク帯域幅部分（ＢＷＰ）のアクティブ化および非アクティブ化の指示を制御することであって、即ち、プリセットされた時間ルール（Ｔｉｍｅ  Ｐａｔｔｅｒｎ）である。
【００２２】
方法４は、ダウンリンク帯域幅部分（ＢＷＰ）に対して対応する非アクティブ化タイマを構成して、前記ダウンリンクＢＷＰの非アクティブ化を制御することであって、即ち、ダウンリンクＢＷＰ特定の非アクティブ化タイマであり、非アクティブ化タイマが失効したとき、対応するダウンリンクＢＷＰが非アクティブ化される。
【００２３】
以下では、前述したいくつかの方法についてそれぞれ説明する。
【００２４】
方法１において、前記ＭＡＣ層のＣＥは、前記少なくとも１つのＢＷＰに対応するビットマップを含み、前記ビットマップの各ビットによって前記ビットに対応するＢＷＰのアクティブ化または非アクティブ化を制御する。
【００２５】
ＭＡＣ  ＣＥとＢＷＰを対応する方法については、前記ダウンリンクＢＷＰアクティブ化および非アクティブ化ＭＡＣ  ＣＥが、構成された前記１つまたは複数のＢＷＰ  ｉｎｄｅｘ（インデックス値）と対応するビットマップを含むことであり得る。
【００２６】
ここで、公知のビットによる対応するＢＷＰのアクティブ化または非アクティブ化は、前記ビットマップに対応するビット位置１または０によって対応するＢＷＰのアクティブ化または非アクティブ化を示し得ることであり得る。
【００２７】
方法２において、前記ＤＣＩにインデックス値を追加し、前記インデックス値によって、アクティブ化されるＢＷＰを指示する。
【００２８】
具体的に、前記ＤＣＩは、セル無線ネットワーク一時識別子（Ｃ−ＲＮＩＴ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）によってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送される。前記ダウンリンクＢＷＰアクティブＤＣＩは、Ｃ−ＲＮＴＩまたは特別なＲＮＴＩ（ＢＷＰ  ａｃｔｉｖａｔｉｏｎ  ＲＮＴＩなど）でスクランブルされたＰＤＣＣＨによって搬送されるＤＣＩである。前記ＤＣＩに、アクティブ化される１つまたは複数の前記構成されたＢＷＰのｉｎｄｅｘ（インデックス値）を追加することができる。
【００２９】
さらに、前記ＤＣＩがＣ−ＲＮＴＩによってスクランブルされたＰＤＣＣＨで搬送される場合、アクティブ状態であるダウンリンクＢＷＰでアクティブ化されるＢＷＰのダウンリンク伝送をスケジューリングする。前記ＤＣＩがＣ−ＲＮＴＩによってスクランブルされたＰＤＣＣＨで搬送される場合、現在アクティブ化されたダウンリンクＢＷＰでアクティブ化されるＢＷＰのダウンリンク伝送をスケジュールして、アクティブ化されるダウンリンクＢＷＰをアクティブ化することができる。
【００３０】
方法３において、アクティブ化および非アクティブ化時間ルールによって、搬送波の少なくとも１つのダウンリンクＢＷＰ間のアクティブ化の切り替えを制御する。
【００３１】
ここで、アクティブ化および非アクティブ化時間ルールは、プリセットされた時間ｐａｔｔｅｒｎであり、つまり、特定の時間ルールに従って異なるＢＷＰをアクティブ化する。
【００３２】
例えば、ＢＷＰ１、ＢＷＰ２、ＢＷＰ３の３つのＢＷＰがあると仮定すると、［ＢＷＰ１、ＢＷＰ２、ＢＷＰ３］など、周期的に異なるＢＷＰ間で切り替えることができる。
【００３３】
さらに、無線フレームを構成し、前記無線フレームの少なくとも１つのサブフレームを分割して、少なくとも１つのサブフレームグループを分割し、ここで、各サブフレームグループは、ダウンリンクＢＷＰのアクティブ化を指示するために使用されることでもあり得る。同様に、３つのＢＷＰを例にとると、１つの無線フレーム（１０個の１ｍｓサブフレームを含む）の配置で、サブフレーム０〜３はＢＷＰ１アクティブであり、サブフレーム４〜６はＢＷＰ２アクティブであり、７〜９はＢＷＰ３アクティブであると仮定する。
【００３４】
さらに、各ダウンリンクＢＷＰに対して、アクティブ状態での開始時間および持続時間を構成することでもあり得る。
【００３５】
つまり、各ＢＷＰのアクティブ化の開始時間および持続時間を配置し、異なるアクティブ化されたＢＷＰは、重複する時間を持つことができる。
【００３６】
方法４において、少なくとも１つのダウンリンク帯域幅部分（ＢＷＰ）の、初期ＢＷＰ以外の他のダウンリンクＢＷＰの少なくとも一部に対して、対応する非アクティブ化タイマをそれぞれ配置し、前記非アクティブ化タイマによって、前記初期ＢＷＰ以外の他のダウンリンクＢＷＰがアクティブ化された後のアクティブ状態の持続時間を制御する。
【００３７】
前記ダウンリンクＢＷＰ非アクティブ化タイマは、初期ＢＷＰ以外の全ての構成されたＢＷＰの少なくとも一部のダウンリンクＢＷＰに対してそれぞれ構成されたタイマである。ここで、少なくとも一部のダウンリンクＢＷＰは、１つまたは複数のダウンリンクＢＷＰであり得、且つ、タイマを構成することは、これらの少なくとも一部のダウンリンクＢＷＰに対して１つのタイマを一括して構成することであってもよく、少なくとも一部のダウンリンクＢＷＰの各ダウンリンクＢＷＰに対して異なるタイマーを構成することであってもよい。
【００３８】
前記タイマは、ある構成されたＢＷＰがアクティブ化された後のアクティブ化持続時間を規定し、その動作について、
起動または再起動の条件は、
対応するＢＷＰがアクティブ化命令を受信したとき、または時間ｐａｔｔｅｒｎが到着したときにＢＷＰがアクティブ化された後、当該タイマが起動／再起動することであり、
対応するＢＷＰがスケジューリング命令を受信した場合、または、ＢＷＰでデータの送信または受信が発生した場合であり、
停止条件は、端末がランダムアクセスを開始することであり、
タイマが失効になった場合、対応するＢＷＰを非アクティブ化し、現在１つのＢＷＰのみがアクティブ状態である場合、端末はデフォルトＢＷＰまたは初期ＢＷＰに戻る。
【００３９】
前述の技術案を採用することにより、端末機器の搬送波で構成された少なくとも１つのダウンリンクＢＷＰに対して、アクティブ化および非アクティブ化を決定することができ、これにより、搬送波で複数のダウンリンクＢＷＰが構成された場合、その一部のダウンリンクＢＷＰのアクティブ化および非アクティブ化の状態をどのように制御するかという問題を解決する。
【００４０】
実施例２
本発明の実施例は、ダウンリンク帯域幅部分のアクティブ化および非アクティブ化の方法を提供し、前記方法は、端末機器に適用され、ネットワーク側の制御に基づいて、搬送波で構成された少なくとも１つのダウンリンク帯域幅部分（ＢＷＰ）に対して、アクティブ化および非アクティブ化を実行することを含む。
【００４１】
なお、ダウンリンクＢＷＰの初期はアクティブ状態であるかどうかについては、ダウンリンクＢＷＰの初期はアクティブ状態であるように制御してもよく、ダウンリンクＢＷＰの初期は非アクティブ状態であるように制御してもよい。
【００４２】
前記端末機器に対して構成された少なくとも１つのダウンリンクＢＷＰのうち、少なくとも１つの初期ＢＷＰを構成し、前記初期ＢＷＰがデフォルトでアクティブ状態であるように構成し、前記端末機器に対して構成された少なくとも１つのダウンリンクＢＷＰのうち、前記初期ＢＷＰ以外の他のダウンリンクＢＷＰがデフォルトで非アクティブ状態であるように構成してもよい。具体的に、前記端末の１つの搬送波で１つまたは複数のダウンリンクＢＷＰを配置し、ネットワークは、構成されたＢＷＰをアクティブ化または非アクティブ化することができ、構成された１つまたは複数のダウンリンクＢＷＰのうち、その１つはネットワークによって構成された初期ＢＷＰであり、初期ＢＷＰはデフォルトでアクティブ状態であり（即ち、ＢＷＰが搬送波でアクティブ化されるとき、初期ＢＷＰは追加的にアクティブ化する必要がある）、初期ＢＷＰ以外の他の構成されたＢＷＰは、構成する時にデフォルトで非アクティブ状態である。
【００４３】
さらに、本実施例において、前記アクティブ化および非アクティブ化の方法は、以下の１つである。
【００４４】
方法１は、ＭＡＣ層の制御ユニットＣＥによって、少なくとも１つのダウンリンク帯域幅部分（ＢＷＰ）のアクティブ化および非アクティブ化を制御することである。
【００４５】
方法２は、ダウンリンク制御情報（ＤＣＩ）によって、少なくとも１つのダウンリンク帯域幅部分（ＢＷＰ）のアクティブ化および非アクティブ化を制御することであって、即ち、ダウンリンクＢＷＰアクティブＤＣＩである。
【００４６】
方法３は、端末機器でアクティブ化および非アクティブ化時間ルールを構成して、少なくとも１つのダウンリンク帯域幅部分（ＢＷＰ）のアクティブ化および非アクティブ化の指示を制御することであって、即ち、プリセットされた時間ルール（Ｔｉｍｅ  Ｐａｔｔｅｒｎ）である。
【００４７】
方法４は、ダウンリンク帯域幅部分（ＢＷＰ）に対して対応する非アクティブ化タイマを構成して、前記ダウンリンクＢＷＰの非アクティブ化を制御することであって、即ち、ダウンリンクＢＷＰ特定の非アクティブ化タイマであり、非アクティブ化タイマが失効したとき、対応するダウンリンクＢＷＰが非アクティブ化される。
【００４８】
以下では、前述したいくつかの方法についてそれぞれ説明する。
【００４９】
方法１において、前記ＭＡＣ層のＣＥは、前記少なくとも１つのＢＷＰに対応するビットマップを含み、前記ビットマップの各ビットによって、前記ビットに対応するＢＷＰのアクティブ化または非アクティブ化を制御する。
【００５０】
ＭＡＣ  ＣＥとＢＷＰを対応する方法については、前記ダウンリンクＢＷＰのアクティブ化および非アクティブ化ＭＡＣ  ＣＥが、構成された前記１つまたは複数のＢＷＰ  ｉｎｄｅｘ（インデックス値）と対応するビットマップを含むことであり得る。
【００５１】
ここで、公知のビットによる対応するＢＷＰのアクティブ化または非アクティブ化は、前記ビットマップに対応するビット位置１または０によって対応するＢＷＰのアクティブ化または非アクティブ化を示し得ることであり得る。
【００５２】
方法２において、前記ＤＣＩのインデックス値に基づいて、ネットワーク側によって指示されるアクティブ化されるＢＷＰを決定する。
【００５３】
具体的に、前記ＤＣＩは、セル無線ネットワーク一時識別子（Ｃ−ＲＮＩＴ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）によってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送される。前記ダウンリンクＢＷＰアクティブＤＣＩは、Ｃ−ＲＮＴＩまたは特別なＲＮＴＩ（ＢＷＰ  ａｃｔｉｖａｔｉｏｎ  ＲＮＴＩなど）でスクランブルされたＰＤＣＣＨによって搬送されるＤＣＩである。前記ＤＣＩに、アクティブ化される１つまたは複数の前記構成されたＢＷＰのｉｎｄｅｘ（インデックス値）を追加することができる。
【００５４】
さらに、前記ＤＣＩがＣ−ＲＮＴＩによってスクランブルされたＰＤＣＣＨで搬送される場合、アクティブ状態であるダウンリンクＢＷＰでアクティブ化されるＢＷＰのダウンリンク伝送を取得する。前記ＤＣＩがＣ−ＲＮＴＩによってスクランブルされたＰＤＣＣＨで搬送される場合、現在アクティブ化されたダウンリンクＢＷＰでアクティブ化されるＢＷＰのダウンリンク伝送をスケジュールして、アクティブ化されるダウンリンクＢＷＰをアクティブ化することができる。
【００５５】
方法３において、前記アクティブ化および非アクティブ化時間ルールによって、搬送波の少なくとも１つのダウンリンクＢＷＰ間のアクティブ化の切り替えを決定する。
【００５６】
ここで、アクティブ化および非アクティブ化時間ルールは、プリセットされた時間ｐａｔｔｅｒｎであり、つまり、特定の時間ルールに従って異なるＢＷＰをアクティブ化する。
【００５７】
例えば、ＢＷＰ１、ＢＷＰ２、ＢＷＰ３の３つのＢＷＰがあると仮定すると、［ＢＷＰ１、ＢＷＰ２、ＢＷＰ３］など、周期的に異なるＢＷＰ間で切り替えることができる。
【００５８】
さらに、無線フレームの少なくとも１つのサブフレームで分割された少なくとも１つのサブフレームグループの各サブフレームグループの指示情報に基づいて、対応するダウンリンクＢＷＰをアクティブ化するかどうかを決定し、ここで、各サブフレームグループは、ダウンリンクＢＷＰのアクティブ化を指示するために使用されることでもあり得る。同様に、３つのＢＷＰを例にとると、１つの無線フレーム（１０個の１ｍｓサブフレームを含む）の配置で、サブフレーム０〜３はＢＷＰ１アクティブであり、サブフレーム４〜６はＢＷＰ２アクティブであり、７〜９はＢＷＰ３アクティブであると仮定する。
【００５９】
さらに、各ダウンリンクＢＷＰに対して構成されたアクティブ状態での開始時間および持続時間を取得することでもあり得る。
【００６０】
つまり、各ＢＷＰのアクティブ化の開始時間および持続時間を配置し、異なるアクティブ化されたＢＷＰは、重複する時間を持つことができる。
【００６１】
方法４において、少なくとも１つのダウンリンク帯域幅部分（ＢＷＰ）の、初期ＢＷＰ以外の他のダウンリンクＢＷＰの少なくとも一部に対して設置された非アクティブ化タイマを取得し、前記非アクティブ化タイマによって、前記初期ＢＷＰ以外の他のダウンリンクＢＷＰの少なくとも一部がアクティブ化された後のアクティブ状態の持続時間を制御する。
【００６２】
前記ダウンリンクＢＷＰ非アクティブ化タイマは、初期ＢＷＰ以外の全ての構成されたＢＷＰの少なくとも一部のダウンリンクＢＷＰに対してそれぞれ構成されたタイマである。ここで、少なくとも一部のダウンリンクＢＷＰは、１つまたは複数のダウンリンクＢＷＰであり得、且つ、タイマを配置することは、これらの少なくとも一部のダウンリンクＢＷＰに対して１つのタイマを一括して配置することであってもよく、少なくとも一部のダウンリンクＢＷＰの各ダウンリンクＢＷＰに対して異なるタイマを配置することであってもよい。
【００６３】
前記タイマは、ある構成されたＢＷＰがアクティブ化された後のアクティブ化持続時間を規定し、その動作については、
ダウンリンクＢＷＰが、受信したアクティブ化命令に従ってアクティブ状態に入る場合、または、対応する時間ルールに基づいてアクティブ状態に入ることを決定する場合、前記ダウンリンクＢＷＰに対応する非アクティブ化タイマを開始することであって、即ち、対応するＢＷＰがアクティブ化命令を受信したとき、または時間ｐａｔｔｅｒｎが到着したときにＢＷＰがアクティブ化された後、当該タイマを起動／再起動することであり、
ダウンリンクＢＷＰがスケジューリング命令を受信した場合、または、前記ダウンリンクＢＷＰでデータの送受信処理が発生した場合、前記ダウンリンクＢＷＰに対応する非アクティブ化タイマを開始することであって、つまり、対応するＢＷＰがスケジューリング命令を受信した場合、または、ＢＷＰでデータの送信または受信が発生した場合、前記ダウンリンクＢＷＰに対応する非アクティブ化タイマを開始することであり、
停止条件は、前記端末がランダムアクセスを開始すると、前記非アクティブ化タイマを停止することであり、
ダウンリンクＢＷＰに対応する非アクティブ化タイマが失効になった場合、対応するダウンリンクＢＷＰを制御して非アクティブ状態に切り替えることであり、現在アクティブ状態のダウンリンクＢＷＰの数を検出し、前記ダウンリンクＢＷＰの数が１である場合、初期ＢＷＰを使用して現在アクティブ状態であるダウンリンクＢＷＰを置換して、前記初期ＢＷＰをアクティブ化し、現在アクティブ状態であるダウンリンクＢＷＰを非アクティブ化することである。つまり、タイマが失効になった場合、対応するＢＷＰを非アクティブ化し、現在１つのＢＷＰのみがアクティブ状態である場合、端末はデフォルトＢＷＰまたは初期ＢＷＰに戻る。
【００６４】
前述の２つの実施例を参照して本出願の処理フローを提供し、図１に示されるように、前記フローは以下のステップを含む。
【００６５】
ステップ１０１：端末機器の搬送波で構成された少なくとも１つのダウンリンク帯域幅部分（ＢＷＰ）に対して、アクティブ化および非アクティブ化を実行する。
【００６６】
ステップ１０２：ネットワーク側の制御に基づいて、搬送波で構成された少なくとも１つのダウンリンク帯域幅部分（ＢＷＰ）に対してアクティブ化および非アクティブ化を実行する。
【００６７】
前述の技術案を採用することにより、端末機器の搬送波で構成された少なくとも１つのダウンリンクＢＷＰに対して、アクティブ化および非アクティブ化を決定することができるため、搬送波で複数のダウンリンクＢＷＰが構成された場合、その一部のダウンリンクＢＷＰのアクティブ化および非アクティブ化の状態をどのように制御するかという問題を解決する。
【００６８】
実施例３
本発明の実施例は、ネットワーク機器を提供し、図２に示されるように、前記ネットワーク機器は、端末機器の搬送波で構成された少なくとも１つのダウンリンク帯域幅部分（ＢＷＰ）に対してアクティブ化および非アクティブ化を実行するように構成される第１処理ユニット２１を含む。
【００６９】
なお、ダウンリンクＢＷＰの初期はアクティブ状態であるかどうかについては、ダウンリンクＢＷＰの初期はアクティブ状態であるように制御してもよく、ダウンリンクＢＷＰの初期は非アクティブ状態であるように制御してもよい。
【００７０】
さらに、前記端末機器に対して構成された少なくとも１つのダウンリンクＢＷＰのうち、少なくとも１つの初期ＢＷＰを構成し、前記初期ＢＷＰがデフォルトでアクティブ状態であるように構成し、前記端末機器に対して構成された少なくとも１つのダウンリンクＢＷＰのうち、前記初期ＢＷＰ以外の他のダウンリンクＢＷＰがデフォルトで非アクティブ状態であるように構成してもよい。具体的に、前記端末の１つの搬送波で１つまたは複数のダウンリンクＢＷＰを配置し、ネットワークは、構成されたＢＷＰをアクティブ化または非アクティブ化することができ、構成された１つまたは複数のダウンリンクＢＷＰのうち、その１つはネットワークによって構成された初期ＢＷＰであり、初期ＢＷＰはデフォルトでアクティブ状態であり（即ち、ＢＷＰが搬送波でアクティブ化されるとき、初期ＢＷＰは追加的にアクティブ化する必要がある）、初期ＢＷＰ以外の他の構成されたＢＷＰは、構成する時にデフォルトで非アクティブ状態である。
【００７１】
さらに、本実施例において、前記アクティブ化および非アクティブ化の方法は、以下の１つである。
【００７２】
方法１は、ＭＡＣ層の制御要素（ＣＥ）によって、少なくとも１つのダウンリンク帯域幅部分（ＢＷＰ）のアクティブ化および非アクティブ化を制御することであって、即ち、ダウンリンクＢＷＰアクティブ化および非アクティブ化ＭＡＣ  ＣＥである。
【００７３】
方法２は、ダウンリンク制御情報（ＤＣＩ）によって、少なくとも１つのダウンリンク帯域幅部分（ＢＷＰ）のアクティブ化および非アクティブ化を制御することであって、即ち、ダウンリンクＢＷＰアクティブＤＣＩである。
【００７４】
方法３は、端末機器でアクティブ化および非アクティブ化時間ルールを構成して、少なくとも１つのダウンリンク帯域幅部分（ＢＷＰ）のアクティブ化および非アクティブ化の指示を制御することであって、即ち、プリセットされた時間ルール（Ｔｉｍｅ  Ｐａｔｔｅｒｎ）である。
【００７５】
方法４は、ダウンリンク帯域幅部分（ＢＷＰ）に対して、対応する非アクティブ化タイマを配置して、前記ダウンリンクＢＷＰの非アクティブ化を制御することであって、即ち、ダウンリンクＢＷＰ特定の非アクティブ化タイマであり、非アクティブ化タイマが失効したとき、対応するダウンリンクＢＷＰが非アクティブ化される。
【００７６】
以下では、前述したいくつかの方法についてそれぞれ説明する。
【００７７】
方法１において、第１処理ユニット２１は、前記ＭＡＣ層のＣＥに含まれる、前記少なくとも１つのＢＷＰに対応するビットマップの各ビットによって、前記ビットに対応するＢＷＰのアクティブ化または非アクティブ化を制御するように構成される。
【００７８】
ＭＡＣ  ＣＥとＢＷＰを対応する方法については、前記ダウンリンクＢＷＰのアクティブ化および非アクティブ化ＭＡＣ  ＣＥが、構成された前記１つまたは複数のＢＷＰ  ｉｎｄｅｘ（インデックス値）と対応するビットマップを含むことであり得る。
【００７９】
ここで、公知のビットによる対応するＢＷＰのアクティブ化または非アクティブ化は、前記ビットマップに対応するビット位置１または０によって対応するＢＷＰのアクティブ化または非アクティブ化を示し得ることであり得る。
【００８０】
方法２において、第１処理ユニット２１は、前記ＤＣＩにインデックス値を追加し、前記インデックス値によって、アクティブ化されるＢＷＰを指示するように構成される。
【００８１】
具体的に、前記ＤＣＩは、セル無線ネットワーク一時識別子（Ｃ−ＲＮＩＴ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）によってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送される。前記ダウンリンクＢＷＰアクティブＤＣＩは、Ｃ−ＲＮＴＩまたは特別なＲＮＴＩ（ＢＷＰ  ａｃｔｉｖａｔｉｏｎ  ＲＮＴＩなど）でスクランブルされたＰＤＣＣＨによって搬送されるＤＣＩである。前記ＤＣＩに、アクティブ化される１つまたは複数の前記構成されたＢＷＰのｉｎｄｅｘ（インデックス値）を追加することができる。
【００８２】
さらに、前記ネットワーク機器は、
アクティブ状態であるダウンリンクＢＷＰでアクティブ化されるＢＷＰのダウンリンク伝送をスケジューリングするように構成される第１通信ユニット２２をさらに含み、
対応的に、前記第１処理ユニット２１は、前記ＤＣＩがＣ−ＲＮＴＩによってスクランブルされたＰＤＣＣＨで搬送される場合、第１通信ユニットによって、アクティブ状態であるダウンリンクＢＷＰでアクティブ化されるＢＷＰのダウンリンク伝送をスケジューリングするように構成される。
【００８３】
前記ＤＣＩがＣ−ＲＮＴＩによってスクランブルされたＰＤＣＣＨで搬送される場合、現在アクティブ化されたダウンリンクＢＷＰでアクティブ化されるＢＷＰのダウンリンク伝送をスケジュールして、アクティブ化されるダウンリンクＢＷＰをアクティブ化することができる。
【００８４】
方法３において、前記第１処理ユニット２１は、アクティブ化および非アクティブ化時間ルールによって、搬送波の少なくとも１つのダウンリンクＢＷＰ間のアクティブ化の切り替えを制御するように構成される。
【００８５】
ここで、アクティブ化および非アクティブ化時間ルールは、プリセットされた時間ｐａｔｔｅｒｎであり、つまり、特定の時間ルールに従って異なるＢＷＰをアクティブ化する。
【００８６】
例えば、ＢＷＰ１、ＢＷＰ２、ＢＷＰ３の３つのＢＷＰがあると仮定すると、［ＢＷＰ１、ＢＷＰ２、ＢＷＰ３］など、周期的に異なるＢＷＰ間で切り替えることができる。
【００８７】
さらに、第１通信ユニット２２は、無線フレームを構成し、前記無線フレームの少なくとも１つのサブフレームを分割して、少なくとも１つのサブフレームグループを分割するように構成されることもでき、ここで、各サブフレームグループは、ダウンリンクＢＷＰのアクティブ化を指示するために使用される。同様に、３つのＢＷＰを例にとると、１つの無線フレーム（１０個の１ｍｓサブフレームを含む）の配置で、サブフレーム０〜３はＢＷＰ１アクティブであり、サブフレーム４〜６はＢＷＰ２アクティブであり、７〜９はＢＷＰ３アクティブであると仮定する。
【００８８】
さらに、前記第１処理ユニット２１は、各ダウンリンクＢＷＰに対して、アクティブ状態での開始時間および持続時間を構成するように構成されることもできる。
【００８９】
つまり、各ＢＷＰのアクティブ化の開始時間および持続時間を配置し、異なるアクティブ化されたＢＷＰは、重複する時間を持つことができる。
【００９０】
方法４において、前記第１処理ユニット２１は、少なくとも１つのダウンリンク帯域幅部分（ＢＷＰ）の、初期ＢＷＰ以外の他のダウンリンクＢＷＰの少なくとも一部に対して、対応する非アクティブ化タイマをそれぞれ配置し、前記非アクティブ化タイマによって、前記初期ＢＷＰ以外の他のダウンリンクＢＷＰがアクティブ化された後のアクティブ状態の持続時間を制御するように構成される。
【００９１】
前記ダウンリンクＢＷＰ非アクティブ化タイマは、初期ＢＷＰ以外の全ての構成されたＢＷＰの少なくとも一部のダウンリンクＢＷＰに対してそれぞれ構成されたタイマである。ここで、少なくとも一部のダウンリンクＢＷＰは、１つまたは複数のダウンリンクＢＷＰであり得、且つ、タイマを配置することは、これらの少なくとも一部のダウンリンクＢＷＰに対して１つのタイマを一括して配置することであってもよく、少なくとも一部のダウンリンクＢＷＰの各ダウンリンクＢＷＰに対して異なるタイマーを配置することであってもよい。
【００９２】
前述の技術案を採用することにより、端末機器の搬送波で構成された少なくとも１つのダウンリンクＢＷＰに対して、アクティブ化および非アクティブ化を決定することができるため、搬送波で複数のダウンリンクＢＷＰが構成された場合、その一部のダウンリンクＢＷＰのアクティブ化および非アクティブ化の状態をどのように制御するかという問題を解決する。
【００９３】
実施例４、
本発明の実施例は、端末機器を提供し、図３に示されるように、前記端末機器は、ネットワーク側の制御に基づいて、搬送波で構成された少なくとも１つのダウンリンク帯域幅部分（ＢＷＰ）に対してアクティブ化および非アクティブ化を実行するように構成される第２処理ユニット３１を含む。
【００９４】
なお、ダウンリンクＢＷＰの初期はアクティブ状態であるかどうかについては、ダウンリンクＢＷＰの初期はアクティブ状態であるように制御してもよく、ダウンリンクＢＷＰの初期は非アクティブ状態であるように制御してもよい。
【００９５】
さらに、前記端末機器に対して構成された少なくとも１つのダウンリンクＢＷＰのうち、少なくとも１つの初期ＢＷＰを構成し、前記初期ＢＷＰがデフォルトでアクティブ状態であるように構成し、前記端末機器に対して構成された少なくとも１つのダウンリンクＢＷＰのうち、前記初期ＢＷＰ以外の他のダウンリンクＢＷＰがデフォルトで非アクティブ状態であるように構成してもよい。具体的に、前記端末の１つの搬送波で１つまたは複数のダウンリンクＢＷＰを配置し、ネットワークは、構成されたＢＷＰをアクティブ化または非アクティブ化することができ、構成された１つまたは複数のダウンリンクＢＷＰのうち、その１つはネットワークによって構成された初期ＢＷＰであり、初期ＢＷＰはデフォルトでアクティブ状態であり（即ち、ＢＷＰが搬送波でアクティブ化されるとき、初期ＢＷＰは追加的にアクティブ化する必要がある）、初期ＢＷＰ以外の他の構成されたＢＷＰは、配置する時にデフォルトで非アクティブ状態である。
【００９６】
さらに、本実施例において、前記アクティブ化および非アクティブ化の方法は、以下の１つである。
【００９７】
方法１は、ＭＡＣ層の制御ユニットＣＥによって、少なくとも１つのダウンリンク帯域幅部分（ＢＷＰ）のアクティブ化および非アクティブ化を制御することである。
【００９８】
方法２は、ダウンリンク制御情報（ＤＣＩ）によって、少なくとも１つのダウンリンク帯域幅部分（ＢＷＰ）のアクティブ化および非アクティブ化を制御することであって、即ち、ダウンリンクＢＷＰアクティブＤＣＩである。
【００９９】
方法３は、端末機器でアクティブ化および非アクティブ化時間ルールを構成して、少なくとも１つのダウンリンク帯域幅部分（ＢＷＰ）のアクティブ化および非アクティブ化の指示を制御することであって、即ち、プリセットされた時間ルール（Ｔｉｍｅ  Ｐａｔｔｅｒｎ）である。
【０１００】
方法４は、ダウンリンク帯域幅部分（ＢＷＰ）に対して対応する非アクティブ化タイマを構成して、前記ダウンリンクＢＷＰの非アクティブ化を制御することであって、即ち、ダウンリンクＢＷＰ特定の非アクティブ化タイマであり、非アクティブ化タイマが失効したとき、対応するダウンリンクＢＷＰが非アクティブ化される。
【０１０１】
以下では、前述したいくつかの方法についてそれぞれ説明する。
【０１０２】
方法１において、前記端末機器は、
ＭＡＣ  ＣＥを受信するように構成される第２通信ユニット３２をさらに含み、
前記第２処理ユニット３１は、含まれる前記少なくとも１つのＢＷＰに対応するビットマップを前記ＭＡＣ層のＣＥから取得し、前記ビットマップの各ビットに基づいて、前記ビットに対応するＢＷＰのアクティブ化または非アクティブ化を決定するように構成される。
【０１０３】
ＭＡＣ  ＣＥとＢＷＰを対応する方法については、前記ダウンリンクＢＷＰのアクティブ化および非アクティブ化ＭＡＣ  ＣＥが、構成された前記１つまたは複数のＢＷＰ  ｉｎｄｅｘ（インデックス値）と対応するビットマップを含むことであり得る。
【０１０４】
ここで、公知のビットによる対応するＢＷＰのアクティブ化または非アクティブ化は、前記ビットマップに対応するビット位置１または０によって対応するＢＷＰのアクティブ化または非アクティブ化を示し得ることであり得る。
【０１０５】
方法２において、前記第２処理ユニット３１は、前記ＤＣＩのインデックス値に基づいて、ネットワーク側によって指示されるアクティブ化されるＢＷＰを決定するように構成される。
【０１０６】
具体的に、前記ＤＣＩは、セル無線ネットワーク一時識別子（Ｃ−ＲＮＩＴ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）によってスクランブルされた物理ダウンリンク制御チャネル（ＰＤＣＣＨ）で搬送され、または、特別なＲＮＴＩによってスクランブルされた物理ダウンリンク制御チャネル（ＰＤＣＣＨ）で搬送される。前記ダウンリンクＢＷＰアクティブＤＣＩは、Ｃ−ＲＮＴＩまたは特別なＲＮＴＩ（ＢＷＰ  ａｃｔｉｖａｔｉｏｎ  ＲＮＴＩなど）でスクランブルされたＰＤＣＣＨによって搬送されるＤＣＩである。前記ＤＣＩに、アクティブ化される１つまたは複数の前記構成されたＢＷＰのｉｎｄｅｘ（インデックス値）を追加することができる。
【０１０７】
さらに、前記ＤＣＩがＣ−ＲＮＴＩによってスクランブルされたＰＤＣＣＨで搬送される場合、アクティブ状態であるダウンリンクＢＷＰでアクティブ化されるＢＷＰのダウンリンク伝送を取得する。前記ＤＣＩがＣ−ＲＮＴＩによってスクランブルされたＰＤＣＣＨで搬送される場合、現在アクティブ化されたダウンリンクＢＷＰでアクティブ化されるＢＷＰのダウンリンク伝送をスケジュールして、アクティブ化されるダウンリンクＢＷＰをアクティブ化することができる。
【０１０８】
方法３において、前記第２処理ユニット３１は、前記アクティブ化および非アクティブ化時間ルールによって、搬送波の少なくとも１つのダウンリンクＢＷＰ間のアクティブ化の切り替えを決定するように構成される。
【０１０９】
ここで、アクティブ化および非アクティブ化時間ルールは、プリセットされた時間ｐａｔｔｅｒｎであり、つまり、特定の時間ルールに従って異なるＢＷＰをアクティブ化する。
【０１１０】
例えば、ＢＷＰ１、ＢＷＰ２、ＢＷＰ３の３つのＢＷＰがあると仮定すると、［ＢＷＰ１、ＢＷＰ２、ＢＷＰ３］など、周期的に異なるＢＷＰ間で切り替えることができる。
【０１１１】
さらに、無線フレームの少なくとも１つのサブフレームで分割された少なくとも１つのサブフレームグループの各サブフレームグループの指示情報に基づいて、対応するダウンリンクＢＷＰをアクティブ化するかどうかを決定し、ここで、各サブフレームグループは、ダウンリンクＢＷＰのアクティブ化を指示するために使用されることでもあり得る。同様に、３つのＢＷＰを例にとると、１つの無線フレーム（１０個の１ｍｓサブフレームを含む）の配置で、サブフレーム０〜３はＢＷＰ１アクティブであり、サブフレーム４〜６はＢＷＰ２アクティブであり、７〜９はＢＷＰ３アクティブであると仮定する。
【０１１２】
さらに、前記第２処理ユニット３１は、各ダウンリンクＢＷＰに対して構成されたアクティブ状態での開始時間および持続時間を取得するように構成されることもできる。
【０１１３】
つまり、各ＢＷＰのアクティブ化の開始時間および持続時間を構成し、異なるアクティブ化されたＢＷＰは、重複する時間を持つことができる。
【０１１４】
方法４において、前記第２通信ユニット３２は、少なくとも１つのダウンリンク帯域幅部分（ＢＷＰ）の、初期ＢＷＰ以外の他のダウンリンクＢＷＰの少なくとも一部に対して設置された非アクティブ化タイマを取得するように構成され、
前記第２処理ユニット３１は、前記非アクティブ化タイマによって、前記初期ＢＷＰ以外の他のダウンリンクＢＷＰの少なくとも一部がアクティブ化された後のアクティブ状態の持続時間を制御するように構成される。
【０１１５】
前記ダウンリンクＢＷＰ非アクティブ化タイマは、初期ＢＷＰ以外の全ての構成されたＢＷＰの少なくとも一部のダウンリンクＢＷＰに対してそれぞれ構成されたタイマである。ここで、少なくとも一部のダウンリンクＢＷＰは、１つまたは複数のダウンリンクＢＷＰであり得、且つ、タイマを構成することは、これらの少なくとも一部のダウンリンクＢＷＰに対して１つのタイマを一括して構成することであってもよく、少なくとも一部のダウンリンクＢＷＰの各ダウンリンクＢＷＰに対して異なるタイマーを配置することであってもよい。
【０１１６】
前記タイマは、ある構成されたＢＷＰがアクティブ化された後のアクティブ化持続時間を規定し、その動作について、
前記第２処理ユニット３１は、ダウンリンクＢＷＰがアクティブ化命令受信してアクティブ状態に入る場合、または、対応する時間ルールに基づいてアクティブ化の実行を決定する場合、前記ダウンリンクＢＷＰに対応する非アクティブ化タイマを開始するように構成され、即ち、対応するＢＷＰがアクティブ化命令を受信したとき、または時間ｐａｔｔｅｒｎが到着したときにＢＷＰがアクティブ化された後、当該タイマが起動／再起動するように構成され、
前記第２処理ユニット３１は、ダウンリンクＢＷＰがスケジューリング命令を受信した場合、または、前記ダウンリンクＢＷＰでデータの送受信処理が発生した場合、前記ダウンリンクＢＷＰに対応する非アクティブ化タイマを開始するように構成され、つまり、対応するＢＷＰがスケジューリング命令を受信した場合、または、ＢＷＰでデータの送信または受信が発生した場合、前記ダウンリンクＢＷＰに対応する非アクティブ化タイマを開始するように構成される。
【０１１７】
停止条件は、前記端末がランダムアクセスを開始すると、前記非アクティブ化タイマを停止することであり、
前記第２処理ユニット３１は、ダウンリンクＢＷＰに対応する非アクティブ化タイマが失効になった場合、対応するダウンリンクＢＷＰを制御して非アクティブ状態に切り替えするように構成され、現在アクティブ状態のダウンリンクＢＷＰの数を検出し、前記ダウンリンクＢＷＰの数が１である場合、初期ＢＷＰを使用して現在アクティブ状態であるダウンリンクＢＷＰを置換して、前記初期ＢＷＰをアクティブ化し、現在アクティブ状態であるダウンリンクＢＷＰを非アクティブ化するように構成される。つまり、タイマが失効になった場合、対応するＢＷＰを非アクティブ化し、現在１つのＢＷＰのみがアクティブ状態である場合、端末はデフォルトＢＷＰまたは初期ＢＷＰに戻る。
【０１１８】
前述の技術案を採用することにより、端末機器の搬送波で構成された少なくとも１つのダウンリンクＢＷＰに対して、アクティブ化および非アクティブ化を決定することができるため、搬送波で複数のダウンリンクＢＷＰが構成された場合、その一部のダウンリンクＢＷＰのアクティブ化および非アクティブ化の状態をどのように制御するかという問題を解決する。
【０１１９】
本発明の実施例は、図４に示されたように、少なくとも１つのプロセッサ４１と、メモリ４２と、少なくとも１つのネットワークインターフェース４３とを含む、端末機器またはネットワーク機器のハードウェア構成アーキテクチャをさらに提供する。各コンポーネントは、バスシステム４４を介して結合される。理解され得るように、バスシステム４４は、これらのコンポーネント間の接続通信を具現するために使用される。データバスに加えて、バスシステム４４は、電力バス、制御バスおよびステータス信号バスを含む。しかしながら、説明を明確にするために、図４では様々なバスをバスシステム４４として表記されている。
【０１２０】
本発明の実施例におけるメモリ４２は、揮発性メモリまたは非揮発性メモリであってもよく、または揮発性および非揮発性メモリの両方を含んでもよいことを理解されたい。
【０１２１】
いくつかの実施形態において、メモリ４２は、オペレーティングシステム４２１およびアプリケーションプログラム４２２の要素、実行可能なモジュールまたはデータ構造、またはそのサブセット、またはそれらの拡張セットを記憶する。
【０１２２】
ここで、前記プロセッサ４１は、前述の実施例１または２の方法のステップを処理することができるように構成され、ここでは再び説明しない。
【０１２３】
本発明の実施例によって提供されるコンピュータ記憶媒体は、実行可能な命令が記憶され、前記コンピュータ実行可能命令が実行されるときに、前述の実施例１または２の方法のステップを実施する。
【０１２４】
本発明の実施例の前記装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質で先行技術に対して貢献のある部分は、ソフトウェア製品の形で具現されることができ、当該コンピュータソフトウェア製品は、１つの記憶媒体に記憶されて、一台のコンピュータ装置（パーソナルコンピュータ、サーバ、またはネットワーク装置等などであり得る）が本発明の各実施例の前記方法の全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【０１２５】
対応的に、本発明の実施例は、本発明の実施例のデータスケジューリング方法を実行するように構成される、コンピュータプログラムが記憶されるコンピュータ記憶媒体をさらに提供する。
【０１２６】
本発明の好ましい実施例を例示の目的で開示したが、当業者は、様々な修正、追加、および置換が可能であり、本発明の範囲は上記した実施例に限定されるべきではないことを認識するであろう。
【図１】
2021514558.tif 000003
【図２】
2021514558.tif 000004
【図３】
2021514558.tif 000005
【図４】
2021514558.tif 000006
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ダウンリンク帯域幅部分のアクティブ化および非アクティブ化の方法であって、
端末機器に適用され、
ネットワーク側の制御に基づいて、搬送波で構成された少なくとも１つのダウンリンク帯域幅部分（ＢＷＰ）に対してアクティブ化および非アクティブ化を実行することを含む、前記ダウンリンク帯域幅部分のアクティブ化および非アクティブ化の方法。
【請求項２】
前記少なくとも１つのダウンリンクＢＷＰのアクティブ化および非アクティブ化は、ダウンリンク制御情報（ＤＣＩ）、または前記ダウンリンクＢＷＰに対応する非アクティブ化タイマによって制御される、
請求項１に記載のダウンリンク帯域幅部分のアクティブ化および非アクティブ化の方法。
【請求項３】
前記少なくとも１つのダウンリンクＢＷＰのアクティブ化および非アクティブ化は、ＤＣＩによって制御されることは、
前記ＤＣＩのインデックス値に基づいて、ネットワーク側によって指示されるアクティブ化されるＢＷＰを決定することを含み、
前記ＤＣＩは、セル無線ネットワーク一時識別子（Ｃ−ＲＮＩＴ）によってスクランブルされた物理ダウンリンク制御チャネル（ＰＤＣＣＨ）で搬送される、
請求項２に記載のダウンリンク帯域幅部分のアクティブ化および非アクティブ化の方法。
【請求項４】
前記少なくとも１つのダウンリンクＢＷＰのアクティブ化および非アクティブ化は、
無線フレームの少なくとも１つのサブフレームから分割された少なくとも１つのサブフレームグループを取得することと、
各サブフレームグループの指示情報に基づいて、対応するダウンリンクＢＷＰをアクティブ化するかどうかがを決定することとを含む、アクティブ化および非アクティブ化時間ルールに従って制御され、
または、
前記少なくとも１つのダウンリンクＢＷＰのアクティブ化および非アクティブ化を制御は、
各ダウンリンクＢＷＰに対して構成されたアクティブ状態での開始時間および持続時間を取得することを含む、前記アクティブ化および非アクティブ化時間ルールに従って制御され、各ダウンリンクＢＷＰに対して、アクティブ状態での開始時間および持続時間を構成する、
請求項１に記載のダウンリンク帯域幅部分のアクティブ化および非アクティブ化の方法。
【請求項５】
前記ダウンリンクＢＷＰの非アクティブ化が、前記ダウンリンクＢＷＰに対応する非アクティブ化タイマによって制御されることは、
少なくとも１つのダウンリンク帯域幅部分（ＢＷＰ）の、初期ＢＷＰ以外の他のダウンリンクＢＷＰの少なくとも一部に対して設置された非アクティブ化タイマを取得することと、
前記非アクティブ化タイマによって、前記他のダウンリンクＢＷＰの少なくとも一部がアクティブ化された後のアクティブ状態の持続時間を制御することとを含む、
請求項２に記載のダウンリンク帯域幅部分のアクティブ化および非アクティブ化の方法。
【請求項６】
前記方法は、
ダウンリンクＢＷＰが、受信したアクティブ化命令に従ってアクティブ状態になった場合、または、対応する時間ルールに基づいてアクティブ状態になったことを決定する場合、前記ダウンリンクＢＷＰに対応する非アクティブ化タイマを開始すること、
または、
前記ダウンリンクＢＷＰがスケジューリング命令を受信した場合、または、前記ダウンリンクＢＷＰでデータの送受信処理が発生した場合、前記ダウンリンクＢＷＰに対応する非アクティブ化タイマを開始すること、
または、
端末がランダムアクセスを開始する場合、前記非アクティブ化タイマを停止することをさらに含む、
請求項５に記載のダウンリンク帯域幅部分のアクティブ化および非アクティブ化の方法。
【請求項７】
端末機器であって、
ネットワーク側の制御に基づいて、搬送波で構成された少なくとも１つのダウンリンク帯域幅部分（ＢＷＰ）に対してアクティブ化および非アクティブ化を実行するように構成される第２処理ユニットを含む、前記端末機器。
【請求項８】
前記第２処理ユニットは、ダウンリンク制御情報（ＤＣＩ）、または前記ダウンリンクＢＷＰに対応する非アクティブ化タイマによって、前記少なくとも１つのダウンリンクＢＷＰのアクティブ化および非アクティブ化を制御するように構成される、
請求項７に記載の端末機器。
【請求項９】
前記端末機器は、第２通信ユニットをさらに含み、
前記第２通信ユニットは、メディアアクセス制御（ＭＡＣ）、制御要素（ＣＥ）を受信するように構成され、
前記第２処理ユニットは、含まれる前記少なくとも１つのＢＷＰに対応するビットマップを前記ＭＡＣ層のＣＥから取得し、前記ビットマップの各ビットに基づいて、前記ビットに対応するＢＷＰのアクティブ化または非アクティブ化を決定するように構成される、
請求項７に記載の端末機器。
【請求項１０】
前記第２処理ユニットは、前記ＤＣＩのインデックス値に基づいて、ネットワーク側によって指示されるアクティブ化されるＢＷＰを決定するように構成される、
請求項８に記載の端末機器。
【請求項１１】
前記ＤＣＩがＣ−ＲＮＩＴによってスクランブルされた物理ダウンリンク制御チャネル（ＰＤＣＣＨ）で搬送される、
請求項１０に記載の端末機器。
【請求項１２】
前記第２処理ユニットは、前記ＤＣＩがＣ−ＲＮＴＩによってスクランブルされたＰＤＣＣＨで搬送される場合、アクティブ状態であるダウンリンクＢＷＰでアクティブ化されるＢＷＰのダウンリンク伝送を取得するように構成される、
請求項１１に記載の端末機器。
【請求項１３】
前記第２通信ユニットは、少なくとも１つのダウンリンク帯域幅部分（ＢＷＰ）の、初期ＢＷＰ以外の他のダウンリンクＢＷＰの少なくとも一部に対して設置された非アクティブ化タイマを取得するように構成され、
前記第２処理ユニットは、前記非アクティブ化タイマによって、前記他のダウンリンクＢＷＰの少なくとも一部がアクティブ化された後のアクティブ状態の持続時間を制御するように構成される、
請求項８に記載の端末機器。
【請求項１４】
前記第２処理ユニットは、ダウンリンクＢＷＰが、受信したアクティブ化命令に従ってアクティブ状態になった場合、前記ダウンリンクＢＷＰに対応する非アクティブ化タイマを開始し、
または、
前記ダウンリンクＢＷＰが前記スケジューリング命令を受信した場合、または、前記ダウンリンクＢＷＰでデータの送受信処理が発生した場合、前記ダウンリンクＢＷＰに対応する非アクティブ化タイマを開始し、
または、
前記端末がランダムアクセスを開始する場合、前記非アクティブ化タイマを停止するように構成される、
請求項１３に記載の端末機器。
【請求項１５】
前記第２処理ユニットは、ダウンリンクＢＷＰに対応する非アクティブ化タイマが失効になった場合、対応するダウンリンクＢＷＰを非アクティブ状態に切り替え、現在アクティブ状態のダウンリンクＢＷＰの数を検出し、前記ダウンリンクＢＷＰの数が１である場合、初期ＢＷＰを使用して現在アクティブ状態であるダウンリンクＢＷＰを置換して、前記初期ＢＷＰをアクティブ化し、且つ現在アクティブ状態であるダウンリンクＢＷＰを非アクティブ化するように構成される、
請求項１３に記載の端末機器。
【国際調査報告】
2021514558.tif 000007
2021514558.tif 000008
2021514558.tif 000009
2021514558.tif 000010